(57)【要約】  【課題】  手動型であって、挿入されたメモリーカードを自動的にプッシュバック可能なメモリーカード用コネクタの提供。  【解決手段】  筐体（ハウジング本体２及びプレート３）の一方を開口してカード挿入口４を形成し、カード挿入口４と対向するハウジング基部２１にはカードパッド部ＭＣ２と接触することで電気的に接続させるコンタクト５を複数設け、メモリーカードＭＣがカード挿入口４から挿入されカードパッド部ＭＣ２とコンタクト５とが接続されるメモリーカード用コネクタ１において、  ハウジング基部２１には、挿入されたメモリーカードＭＣを押圧可能なばね体７を設け、ばね体７は付勢力により最奥部まで挿入されたメモリーカードＭＣをカード挿入口４側へ位置移動させ所定位置とさせる。【選択図】  図１
2008004434.tif 000002
【特許請求の範囲】
【請求項１】
電気的な接続部であるカードパッド部を表面の一端に形成するメモリーカードが挿入されるコネクタであって、筐体を構成するハウジングの一方を開口してカード挿入口を形成し、カード挿入口と対向するハウジング基部にはメモリーカードのカードパッド部と接触することで電気的に接続させるコンタクトを複数設け、メモリーカードがカード挿入口から挿入されカードパッド部とコンタクトとが接続されるメモリーカード用コネクタにおいて、
ハウジング基部には、挿入されたメモリーカードを押圧可能なばね体を設け、ばね体は付勢力により最奥部まで挿入されたメモリーカードを、コンタクトとカードパッド部が電気的に接続されている範囲でカード挿入口側へ位置移動させることを特徴とするメモリーカード用コネクタ。
【請求項２】
電気的な接続部であるカードパッド部を表面の一端に形成すると共に側部にハーフロック凹部を備えるメモリーカードが挿入されるコネクタであって、筐体を構成するハウジングの一方を開口してカード挿入口を形成し、カード挿入口と対向するハウジング基部にはメモリーカードのカードパッド部と接触することで電気的に接続させるコンタクトを複数設け、メモリーカード側へ押圧することでハーフロック凹部と係止してメモリーカードを所定位置に保持可能なハーフロック機構をメモリーカードの挿脱方向と平行な側面に具備し、メモリーカードがカード挿入口から挿入されカードパッド部とコンタクトとが接続されるメモリーカード用コネクタにおいて、
ハウジング基部には、挿入されたメモリーカードを押圧可能なばね体を設け、ばね体は付勢力により最奥部まで挿入されハーフロック凹部とハーフロック機構とが係止した状態のメモリーカードを、コンタクトとカードパッド部が電気的に接続されている範囲でカード挿入口側へ位置移動させることを特徴とするメモリーカード用コネクタ。
【発明の詳細な説明】
【技術分野】
【０００１】
この発明は、メモリーカード用コネクタにかかる。詳細には、イジェクト機構を有さない手動差込み型のメモリーカード用コネクタであってセルフクリーニングが可能なメモリーカード用コネクタに関する。
【背景技術】
【０００２】
一般的に、メモリーカード用コネクタには、コネクタ内部へのメモリーカードの挿脱を使用者自身が行う手動差込み型のものと、コネクタ内部にハートカム機構等のイジェクト機構を有するイジェクト型のものとがある。
従来例１を表す手動差込み型のメモリーカード用コネクタ（以下、差込み型コネクタという。）は、上面プレートを取外した説明図である図６に表すように、差込み型コネクタ１００の一方端が開口されメモリーカードＭＣを挿入可能なカード挿入口１０１を形成している。そして、カード挿入口１０１の対向端側内部には複数のコンタクト１０２を突出してハウジング１０３が形成される。
複数のコンタクト１０２は、挿入されるメモリーカードＭＣ表面端部に複数設けられ電気的接触部を構成するカードパッド部ＭＣ１と対応する位置に設けられている。また、コンタクト１０２は、メモリーカードＭＣ挿入完了時にはそれぞれのコンタクト１０２がカードパッド部ＭＣ１側へ付勢されるばね力により押圧接触可能となるよう配置されている。
【０００３】
このように構成する差込み型コネクタ１００では、メモリーカードＭＣを挿入している状態を説明する図である図７に表すように、カード挿入口１０１側から挿入されたメモリーカードＭＣは、やがてハウジング１０３のコンタクト１０２側端面となるカード当接部１０４に当接する。この時、コンタクト１０２は、メモリーカードＭＣのカードパッド部ＭＣ１側へばね力により付勢されるので、各コンタクト１０２とカードパッド部ＭＣ１とは電気的に接触した状態となり、メモリーカードＭＣの差込み型コネクタ１００への装着が完了される。
【０００４】
他方、イジェクト機構を有するイジェクト型のメモリーカード用コネクタ（以下、イジェクト型コネクタという。）には、例えば出願人が既に特許取得した『メモリーカード用コネクタ』（特許第３４３５３８４号、以下、従来例２という。）がある。従来例２は、『（請求項１）メモリーカードの端子金具と電気接続するためのコンタクトを取付けたハウジングと、このハウジングに取付けられてハウジングとの間にカード収容凹部とスライダ収容凹部を形成するフレームと、スライダ収容凹部に遊嵌されてカード挿入方向に沿って移動可能なスライダと、このスライダをスライダ収容凹部から突出する方向に付勢する付勢手段と、この付勢手段で付勢されたスライダに当接してスライダ収容凹部からの脱落を防止する脱落防止手段と、基端部がハウジングに摺動可能に支持され、連結部が、ハウジングの側壁に形成された支持突起に支持されるともに、フレームの側板に当接して支持されることによって、先端部がスライダに凹設されたハート型溝状カムの内底面に弾性的に当接するロックピンとを具備し、カード収容凹部へ押し込む毎に、ロックピンの先端部をハート型溝カムの係止位置と係止解除位置に交互に移動させ、係止位置をコンタクトがメモリーカードの端子金具と電気的に接続する位置とし、係止解除位置をスライダが脱落防止手段に当接して待機する位置としたことを特徴とするメモリーカード用コネクタ。』他からなる。そして、該従来例２によれば、メモリーカード挿入時、メモリーカードの挿入端側によってスライダが押圧され、ハート型溝状カムを有するカム機構を作動させることとなり、挿入時にはメモリーカードがコンタクトと電気的に接触する位置まで押し込まれてその位置で留まることとなる。そして取外し時には挿入されているメモリーカードを挿入方向へ押圧することで、ハート型溝状カム機構によってメモリーカードは挿入口側へ摺動させられメモリーカードとコンタクトとの電気的な接触状態が解除され取外可能な状態となる。
即ち、従来例２（特許文献１）の分解図である図８、および、従来例２の平面説明図である図９に表すように、従来例２によるメモリーカードのイジェクトでは、メモリーカードがハート型カム機構を擁したスライダ２５１を押圧してハウジング２０２に配したコンタクト２６３にメモリーカードの接触分が接触することとなるが、この時、スライダ２５１を付勢するコイルスプリング２９２によって、使用者が最も奥部へ挿入させた位置から若干戻された状態でメモリーカードが所定の位置となる。
このように、イジェクト機構を有するメモリーカード用コネクタでは、イジェクト機構の作用により最奥部に挿入後、若干挿入方向とは反対方向へ戻されて所定位置となるものもあった。
【０００５】
【特許文献１】特許第３４３５３８４号公報
【発明の開示】
【発明が解決しようとする課題】
【０００６】
しかしながら、従来例１では、使用者がメモリーカードＭＣを挿入し、メモリーカードＭＣのカードパッド部ＭＣ１がコンタクト１０２と接触した状態でメモリーカード用コネクタ内に装着状態となるが、この装着作業時には、コンタクト１０２がメモリーカードＭＣの端部を乗り越える際に、コンタクト１０２がメモリーカードＭＣの筐体を構成している樹脂を削り取って塵としてカードパッド部ＭＣ１上へ置いてしまい、更にカードパッド部ＭＣ１上を摺動しているときに、削り取ってしまった塵やカードパッド部ＭＣ１上の埃をコンタクト１０２がその摺動と共に移動させてしまい、更にはコンタクト１０２とカードパッド部ＭＣ１との間に入り込んでしまい、コンタクト１０２とカードパッド部ＭＣ１上との電気的な接続を阻害する虞が生じてしまうという問題点を有した。
【０００７】
また、イジェクト機構を有する引用文献１では、差込み型コネクタ１００とは異なり、メモリーカードが最奥部に挿入された後に、コイルスプリング２９２によって挿入口２０１側へ若干戻されることとなるので、コンタクト２６３がカードパッド部ＭＣ１上を摺動した際に集められた塵や埃は、この戻る動作によってコンタクト２６３から離れることとなるので、コンタクト２６３とカードパッド部ＭＣ１との電気的な接触は良好な状態となるいわゆるセルフクリーニングがなされるが、イジェクト機構を有するため、部品点数が多くなり、製造コストが嵩む、あるいは、メモリーカード用コネクタ２００自体が大型化してしまうという問題点を有した。
【課題を解決するための手段】
【０００８】
そこでこの発明では、イジェクト機構を有さずに、しかもメモリーカードＭＣのカードパッド部上を摺動した際にコンタクトが集めてしまった塵や埃がコンタクトとカードパッド部との電気的な接続を阻害しないようにするため、
【０００９】
電気的な接続部であるカードパッド部を表面の一端に形成するメモリーカードが挿入されるコネクタであって、筐体を構成するハウジングの一方を開口してカード挿入口を形成し、カード挿入口と対向するハウジング基部にはメモリーカードのカードパッド部と接触することで電気的に接続させるコンタクトを複数設け、メモリーカードがカード挿入口から挿入されカードパッド部とコンタクトとが接続されるメモリーカード用コネクタにおいて、
ハウジング基部には、挿入されたメモリーカードを押圧可能なばね体を設け、ばね体は付勢力により最奥部まで挿入されたメモリーカードを、コンタクトとカードパッド部が電気的に接続されている範囲でカード挿入口側へ位置移動させることを特徴とするメモリーカード用コネクタ、
【００１０】
を提供する。従ってメモリーカード用コネクタでは、最奥部まで挿入されたメモリーカードがばね体の付勢力により、若干カード挿入口側へ戻されて所定位置となる。この時、メモリーカードが最奥部まで移動する間、コンタクトはメモリーカードのカードパッド部上を摺動移動することとなるが、最奥部に達した後、ばね体の付勢力によりコンタクトとカードパッド部との接触位置が最奥部に達した時の同接触位置よりもカード挿入口側へ移動されることとなり、コンタクトがカードパッド部上を摺動した際に掻集めてしまうカードパッド部上にあった埃や塵は最奥部での同接触位置に集められた状態となり、カードパッド部とコンタクトの最終的な接触位置には埃や塵が無い状態となる。
【００１１】
また、挿入されたメモリーカードのカードパッド部とコンタクトとが電気的な接続を行う位置でメモリーカードのハーフロック凹部と緩やかに係止してメモリーカードの位置を規定可能なメモリーカード用コネクタにおいてもこの発明では
【００１２】
電気的な接続部であるカードパッド部を表面の一端に形成すると共に側部にハーフロック凹部を備えるメモリーカードが挿入されるコネクタであって、筐体を構成するハウジングの一方を開口してカード挿入口を形成し、カード挿入口と対向するハウジング基部にはメモリーカードのカードパッド部と接触することで電気的に接続させるコンタクトを複数設け、メモリーカード側へ押圧することでハーフロック凹部と係止してメモリーカードを所定位置に保持可能なハーフロック機構をメモリーカードの挿脱方向と平行な側面に具備し、メモリーカードがカード挿入口から挿入されカードパッド部とコンタクトとが接続されるメモリーカード用コネクタにおいて、
ハウジング基部には、挿入されたメモリーカードを押圧可能なばね体を設け、ばね体は付勢力により最奥部まで挿入されハーフロック凹部とハーフロック機構とが係止した状態のメモリーカードを、コンタクトとカードパッド部が電気的に接続されている範囲でカード挿入口側へ位置移動させることを特徴とするメモリーカード用コネクタ、
【００１３】
を提供する。従ってメモリーカード用コネクタでは、ハーフロック凹部とハーフロック機構とが緩やかに係止したハーフロック位置においても、ばね体がその付勢力によりメモリーカードを前記同様若干緩やかに係止したハーフロック位置からカード挿入口側へ戻した所定位置とするので、コンタクトがカードパッド部上を摺動した際に掻集めてしまうカードパッド部上にあった埃や塵は最奥部での同接触位置に集められた状態となり、カードパッド部とコンタクトの最終的な接触位置には埃や塵が無い状態となる。
【発明の効果】
【００１４】
従って、この発明によれば、イジェクト機構を備えない単純な構造である差込み型コネクタでも、メモリーカードを最奥部まで挿入した後に、僅かに挿入口側へ戻すことでセルフクリーニングが行えるので、コンタクトとカードパッド部との電気的な接続を確実なものとすることが出来る。
【発明を実施するための最良の形態】
【００１５】
ハウジング本体にプレートを係止することでメモリーカードを収容可能なハウジングを構成する。ハウジングの一方端はカード挿入口として開口しており、カード挿入口と対向する端部はハウジング本体の基端部がハウジング基部を形成する。
ハウジング基部には、コンタクトが複数並設固定される。コンタクトは中間部がハウジング基部に固定されており、中間部から延設される両端のうち一方端はカード挿入口側へ突出してハウジングのカード収容空間内に位置され接点部を形成しメモリーカードのカードパッド部と電気的に接続可能にばね力を持って構成し、他端はコネクタ外部へ位置されて基板等の電子部材と電気的に接続可能に構成される。
【００１６】
ハウジングのメモリーカード挿脱方向と平行な側面には、該側面に進退可能であり、挿入されたメモリーカード側へ付勢力を持って突出しているハーフロック機構を設ける。このハーフロック機構は、中間部が突出するように折曲された板ばねからなり、中間部の突出がメモリーカードに設けられるハーフロック凹部と係止可能なハーフロック係止部を構成する。そしてハーフロック機構は、押圧されることで該側面内へ移動しメモリーカードの挿脱を行わせるが、メモリーカードのハーフロック凹部に係止することで、作業者による脱着時のような力が加わらない限りハーフロック凹部との係止が解除されない。
【００１７】
ハーフロック機構を設けない側のハウジング基部の側縁には、ばね体であるコイルスプリングが設置される。コイルスプリングは、基端部がハウジング基部内方へ位置されてハウジング基部に支持され、可動先端部がコンタクトの接点部同様にカード収容空間内に位置するよう配置される。コイルスプリングは、軸方向へ圧縮されると付勢力を持って抗する構成である。
【００１８】
このように構成するメモリーカード用コネクタにおいて、メモリーカードがカード挿入口から挿入されると、やがてコンタクト接点部がカードパッド部へ乗り上げてカードパッド部を押圧しながら摺動移動される。
この時コンタクト接点部が摺動移動することによって、コンタクト接点部がメモリーカード端部やカードパッド部を擦ることで摩耗した際の削りかすである塵、あるいはカードパッド部上に付着している埃や塵を、摺動と共に集めてしまうこととなる。そして更に挿入が進むと、ハーフロック係止部がメモリーカードのハーフロック凹部内に入り込み、ハウジング基部にメモリーカードの挿入側先端が当接することとなる。
従来の手差し型のメモリーカード用コネクタでは、この状態でコンタクトとメモリーカードのカードパッド部とが接触した状態で挿入所定位置となっていた。
【００１９】
しかしながら、この発明では、ばね体であるコイルスプリングが設けてあるので、ハーフロック係止部がメモリーカードのハーフロック凹部内に入り込んだ状態でハウジングのカード収容空間内で最奥部まで達すると、既にコイルスプリングの可動端がメモリーカードの挿入側端部によって押圧されて圧縮されているのでコイルスプリングが付勢力を持って抗する。するとメモリーカードは、コイルスプリングの付勢力によりメモリーカードの挿入口側先端とハウジング基部との接触を解除して挿入口側へ若干移動される。
コンタクト接点部に対してメモリーカードがカード挿入口側へ若干移動することによって、コンタクト接点部が集塵した埃等が最奥部に達したときのカードパッド部位置に残されることとなり、カード挿入口側への移動後にはコンタクト接点部とカードパッド部との電気的な接続が確実に行われることとなる。
尚、ばね体によるメモリーカードの挿入口側への移動は、コンタクトとカードパッド部が電気的に接続されている範囲で行われるようにばね体のばね定数やばねの長さを調整して用いる。従って、メモリーカードとメモリーカード用コネクタとの電気的な接続が解除されることはなく、良好な接続状態が維持されている。
【実施例１】
【００２０】
以下にこの発明の実施例を、図面に基づき説明する。図１はこの発明の実施例を表す斜視説明図であり、図２はプレートを取外した状態の実施例を表す斜視説明図であり、図３はメモリーカードＭＣを表す斜視説明図であり、図４はコイルスプリングを表す説明図であり、図５はメモリーカードを挿入した状態を表し、（ａ）は最奥部へ到達した状態図であり（ｂ）は挿入作業が終了した状態図である。  
【００２１】
１はこの発明に係るメモリーカード用コネクタである。メモリーカード用コネクタ１は、ハウジングを構成するハウジング本体２とプレート３とを係止させて筐体構造をなしている。
【００２２】
ハウジング本体２は、絶縁体である高分子樹脂によって成型されており、断面視コ字状に折曲されたプレート３と係止する係止溝（図示せず）によってプレート３が上面に覆い被さるように固定される。ハウジング本体２およびプレート３とで構成するハウジングの一方は開口しており、メモリーカードを挿入するカード挿入口４を形成している。更に、カード挿入口４と対向する端部は、図２に表すように、ハウジング基部２１を形成して複数のコンタクト５が固定される。またハウジング基部２１の両端からは、カード挿入口４側へ延設した側縁部２２を設ける。従って、カード挿入口４から挿入されるメモリーカードＭＣは、側縁部２２に案内されながら挿入される。
【００２３】
ハウジング基部２１に固定されるコンタクト５は図２に表すように、中間部をハウジング基部２１に固定され中間部から延設する一端がメモリーカード用コネクタ１の外部へ位置されて接続端子部５１を構成する。又、コンタクト５の中間部から延設する他端はカード挿入口４側へ突出してメモリーカード用コネクタ１のカード収容空間内に位置され接点部５２を形成しメモリーカードＭＣのカードパッド部ＭＣ２と電気的に接続可能に構成する。そして、接点部５２は先端部が湾曲あるいは折曲されており、該折曲された接点部５２の湾曲あるいは折曲された突部がカードパッド部ＭＣ２と接触圧をもって電気的な接続がなされ、この接続を良好に保持可能にばね力を持って構成する。
【００２４】
６はハーフロック係止部である。ハーフロック係止部６は、ハウジング本体２の一方の側縁部２２に設ける。この一方の側縁部２２は、メモリーカード用コネクタ１に挿入されたメモリーカードＭＣに設けるハーフロック溝部ＭＣ３と対向する側の側縁部２２である。そして、ハーフロック係止部６は、中間部をＶ字状となるように突状に折曲して形成した係止突部６１を設けた板ばねからなり、基端部６２が側縁部２２へ係止固定され、先端となる他端が揺動端６３を形成する。そして、ハーフロック係止部６は基端部６１を揺動中心として揺動可能であり、メモリーカードＭＣによって係止突部６１を押圧されると、揺動するが、メモリーカードＭＣ側へ常にばね力による付勢力を働かせる。
この実施例では、ハーフロック係止部６はプレート３の一部を折曲部３１から折曲してプレート３と一体的に成形し、プレート３とハウジング本体２とを係止する際にハウジング本体２に設ける溝と係止し、該係止した部分がハーフロック係止部６の基端部６１となる。
【００２５】
ここで、メモリーカード用コネクタ１に挿入して用いるメモリーカードＭＣについて説明する。メモリーカードＭＣは、電気的な接続を行い他の機器等と情報交換あるいは信号授受を行うためのカードパッド部ＭＣ２がカード表面に露出されているカードであり、メモリースティックカード等である。そこで、図３に基づいてメモリーカードＭＣの構造を説明する。
メモリーカードＭＣは、カード表面ＭＣ１の一方端にカードパッド部ＭＣ２が露出した状態に並設してなる。このカードパッド部ＭＣ２は、メモリーカード用コネクタ１への挿入側端部ＭＣ６に該端部ＭＣ６と平行に複数並設され、この実施例においては１０カ所に設けられるカードである。そして、該カードパッド部ＭＣ２は、カード表面ＭＣ１から凹状にカードパッド部ＭＣ２表面が位置されている。又、カード表面ＭＣ１の端部のうち、メモリーカード用コネクタ１への挿入時に側縁部２２と対向する一方の端部には、ハーフロック側側面ＭＣ４まで連続する半円状の溝部ＭＣ３が形成される。この溝部ＭＣ３は、メモリーカード用コネクタ１に設けるハーフロック係止部６が係止される溝で半円形状に設けられており、ハーフロック係止部６と係止する位置でメモリーカードＭＣのカードパッド部ＭＣ２とコンタクト５の接点部とが接触保持状態となる。
【００２６】
次いで、メモリーカード用コネクタ１にメモリーカードＭＣが挿入された際にメモリーカードＭＣをカード挿入口４側へ押戻すためのコイルスプリング７について説明する。
コイルスプリング７はばね体を構成し、少なくともコイルの軸方向へメモリーカードＭＣを押戻すための付勢力を発生可能である。コイルスプリング７は、コイルスプリング７の側面を表す図４（ａ）及びコイルスプリング７の正面を表す同（ｂ）のように、スプリング本体７１の一端がスプリング基部７３であり、スプリング基部７３がハウジング本体２に設置された際に、メモリーカードＭＣを押戻すための反力の基端部となる。又、コイルスプリング７の他端はスプリング自由端７２であり、メモリーカードＭＣによって押圧される部分となる。スプリング自由端７２は、コイルスプリング７の放射方向に延設されその先端部をＬ字状に折曲して形成される。
【００２７】
このように構成するコイルスプリング７は、ハーフロック係止部６を設けていない側縁部２２側のハウジング本体２に設置される。従って、ハウジング本体２には、該側縁部２２ｂ側にスプリング設置溝部２３を抉って設ける。スプリング設置溝部２３は、側縁部２２ｂ側が開放口となり、対向側がコイルスプリング７を受ける壁部２４となっており、壁部２４にコイルスプリング７のスプリング基部７３が当接し、開放口側からコイルスプリング７のスプリング自由端７２が突出するように設けられる。
【００２８】
又、コイルスプリング７が設置される側縁部２２ｂには、スプリング自由端７２の位置を規定すると共にコイルスプリング７が圧縮あるいは伸張する際にスプリング自由端７２をガイドするための案内溝２５を穿設する。案内溝２５は、ハウジング本体２にプレート３が係止された際に、プレート３との間に空間ができるように設けられており、スプリング自由端７２のＬ字状先端が案内溝２５に係止可能である。この案内溝２５によって、コイルスプリング７がカード挿入口４側へ脱落しないと共に、スプリング自由端７２が挿入されたメモリーカードＭＣによって圧縮された際にスプリング自由端７２のＬ字状先端が摺動自在となる。そして、コイルスプリング７の自由端７２がハウジング基部２１よりカード挿入口４側へ突出していなくてはメモリーカードＭＣに対してコイルスプリング７が付勢力を働かせないので、少なくとも案内溝２５はハウジング基部２１のカード挿入口４側端よりカード挿入口４側へその一部が位置していなくてはならない。
そして、コイルスプリング７によるメモリーカードＭＣの戻り量は、コイルスプリング７のばね定数によって決定することでもよく、又、側縁部２２ｂに設けた案内溝２５の挿入口４側端部の位置によって決定しても良く、これら両方によって決定してもよく、適宜決定すれば足りる。但し、コイルスプリング７によるメモリーカードＭＣの戻り量は、カードパッド部ＭＣ１とコンタクト５の接点部５２が電気的に接続されている範囲で行われなければならない。
【００２９】
このように構成するメモリーカード用コネクタ１では、カード挿入口４からメモリーカードＭＣが挿入されると、やがてメモリーカードＭＣの挿入側端部ＭＣ６が挿入と共にハウジング基部２１に近づく。すると、コンタクト５がメモリーカードＭＣのカードパッド部ＭＣ２へ乗上げるようにして押圧接触する。この状態で更に作業者が挿入を進めると、図５（ａ）に表すように、メモリーカードＭＣの挿入側端部ＭＣ６がハウジング基部２１に当接すると共にコイルスプリング７を圧縮している。このとき、カードパッド部ＭＣ２上をコンタクト５の接点部５２が摺動してくる際にカードパッド部ＭＣ２上にあった塵や埃Ｄを集めてしまうこととなる。そしてコンタクト５によって集塵されたこれらの塵や埃Ｄがコンタクト５の接点部５２とカードパッド部ＭＣ２との間で電気的な接続不良を起す等の作用を行ってしまう場合がある。
【００３０】
ところが、この実施例では、メモリーカードＭＣの挿入側端部ＭＣ６がハウジング基部２１に当接したところで作業者がメモリーカードＭＣの挿入作業を終了すると、メモリーカードＭＣの挿入側端部ＭＣ６によって押圧され圧縮されているコイルスプリング７の付勢力によりメモリーカードＭＣは挿入口側へ押戻され、図５（ｂ）に表すように、メモリーカードＭＣの挿入側端部ＭＣ６とハウジング基部２１とが離れることとなり、メモリーカードＭＣのカードパッド部ＭＣ２上でもコンタクトの接点部５２が図５（ａ）に表す最奥部へメモリーカードＭＣが挿入された状態の位置よりプッシュバック量Ａだけ戻された位置へ移動することとなる。その結果、図５（ａ）に表す最奥部にメモリーカードＭＣが挿入された状態で集塵されていた塵や埃Ｄはコンタクト５の接点部５２から離れることとなり、電気的な接触不良を起さずに良好な電気的な接続が保たれる。
【００３１】
尚、この実施例ではばね体はコイルスプリング７によって構成したが、コイルスプリング７を設けた位置等の適宜位置にプレート３の一部をメモリーカード挿入空間内に折曲してばね体を構成してもよく、又、コイルスプリング７に替えて板ばねあるいはダンパゴム等の弾性体を用いても良い。
【産業上の利用可能性】
【００３２】
上記のように構成するメモリーカード用コネクタは、コンピュータや携帯電話等の電子機器への利用が可能であり、イジェクト機構を用いない安価なあるいは小型のメモリーカード用コネクタを利用する電子機器等への利用が可能である。
【図面の簡単な説明】
【００３３】
【図１】この発明の実施例を表す斜視説明図
【図２】プレートを取外した状態の実施例を表す斜視説明図
【図３】メモリーカードの斜視説明図
【図４】コイルスプリングの説明図
【図５】メモリーカードを挿入した状態を表し（ａ）は最奥部へ到達した状態図、（ｂ）は挿入作業が終了した状態図
【図６】従来例１を表す斜視説明図
【図７】従来例１のカード挿入状態を表す斜視説明図
【図８】従来例２の分解図
【図９】従来例２の平面説明図
【符号の説明】
【００３４】
Ａ  プッシュバック量
Ｄ  塵や埃
ＭＣ  メモリーカード
ＭＣ１  カード表面
ＭＣ２  カードパッド部
ＭＣ３  溝部
ＭＣ４  ハーフロック側側面
ＭＣ６  挿入側端部
１  メモリーカード用コネクタ
２  ハウジング本体
２１  ハウジング基部
２２  側縁部
２３  スプリング設置溝部
２４  壁部
２５  案内溝
３  プレート３
４  カード挿入口
５  コンタクト
５１  接続端子部
５２  接点部
６  ハーフロック係止部
６１  係止突部
６２  基端部
６３  揺動端
７  コイルスプリング
７１  スプリング本体
７２  スプリング自由端
７３  スプリング基部
【図１】
2008004434.tif 000003
【図２】
2008004434.tif 000004
【図３】
2008004434.tif 000005
【図４】
2008004434.tif 000006
【図５】
2008004434.tif 000007
【図６】
2008004434.tif 000008
【図７】
2008004434.tif 000009
【図８】
2008004434.tif 000010
【図９】
2008004434.tif 000011